(57)【要約】【課題】待機時および使用時の消費電力が小さい表示装置を提供する。【解決手段】テレビ用の第１映像信号８及びコンピュータからの第２映像信号１３を選択する選択手段１２と、選択された前記第１映像信号８または前記第２映像信号１３を画像信号に変換する処理手段２２と、前記画像信号に従い画像を表示する液晶表示部２１と、前記コンピュータからの出力電圧の有無を検出する第１制御部２５と、第２制御部２６とを備え、前記第１制御部２５は前記出力電圧が無い事を検出すると、前記選択手段１２と前記処理手段２２と前記液晶表示部２１と前記第２制御部２６とに対して、電源供給を停止させる。【選択図】図１
2005134721.tif 000002
【特許請求の範囲】
【請求項１】
テレビ用の第１映像信号及びコンピュータからの第２映像信号を選択する選択手段と、選択された前記第１映像信号または前記第２映像信号を画像信号に変換する処理手段と、前記画像信号に従い画像を表示する液晶表示部と、前記コンピュータからの出力電圧の有無を検出する第１制御部と、第２制御部とを備え、前記第１制御部は前記出力電圧が無い事を検出すると、前記選択手段と前記処理手段と前記液晶表示部と前記第２制御部とに対して、電源供給を停止させる事を特徴とする表示装置。
【請求項２】
前記処理手段は、前記第２映像信号に含まれる同期信号をカウントするカウント回路を有し、前記第１制御部は前記出力電圧が無い事を検出すると、前記カウント回路への電源供給を停止させる事を特徴とする請求項１の表示装置。
【請求項３】
前記電源供給の停止後に、操作部に第１回目のキー操作が行われると、前記第２制御部はテレビ表示モードに設定し、その後、第２回目のキー操作が行われると、前記第２制御部は、前記第１制御部が前記コンピュータからの出力電圧の有無を検出する動作に戻す事を特徴とする請求項１の表示装置。
【請求項４】
テレビ用の第１映像信号及びコンピュータからの第２映像信号を選択する選択手段と、選択された前記第１映像信号または前記第２映像信号を画像信号に変換する処理手段と、前記画像信号に従い画像を表示する液晶表示部と、前記コンピュータからの出力電圧の有無を検出する第１制御部と、第２制御部とを備え、前記第１制御部は前記出力電圧が有る事を検出すると、少なくとも、前記選択手段と前記処理手段と前記第２制御部とに対し、電源供給を行わせる事を特徴とする表示装置。
【請求項５】
前記処理手段は、前記第２映像信号に含まれる同期信号をカウントするカウント回路を設け、前記第１制御部は前記出力電圧が有る事を検出すると、前記カウント回路への電源供給を行わせる事を特徴とする請求項４の表示装置。
【請求項６】
前記電源供給後に、前記第２制御部は、前記カウント回路が前記同期信号を所定回数カウントしたと判定すると、コンピュータ表示モードに設定する事を特徴とする請求項５の表示装置。
【請求項７】
前記電源供給後に、前記第２制御部は、前記カウント回路が前記同期信号を所定回数カウントしていないと判定すると、前記第１制御部が前記コンピュータからの出力電圧の有無を検出する動作に戻す事を特徴とする請求項５の表示装置。
【発明の詳細な説明】
【技術分野】
【０００１】
本発明は表示装置に関する。
【背景技術】
【０００２】
従来、この種の装置は、例えば特許文献１に示されている。この特許文献１によると、テレビ用の第１映像信号と、コンピュータからの第２映像信号が、液晶表示部に対し、選択的に出力されている。
【特許文献１】特開２０００−１５５５４９号公報
【発明の開示】
【発明が解決しようとする課題】
【０００３】
上記装置では、待機時の消費電力が大きい、欠点がある。本発明者がその原因を究明したところ、テレビを見るための待機時に、コンピュータ（例えば、パーソナルコンピュータ等のこと）からの同期信号を監視しているため、である事が分かった。即ち、上記待機時に、上記同期信号をカウントするカウント回路および制御部（マイコン等）が常時、通電されているからである。故に、本発明はこの様な従来の欠点を考慮して、待機時および使用時において、消費電力が小さい、表示装置を提供する。
【課題を解決するための手段】
【０００４】
請求項１の本発明では、テレビ用の第１映像信号及びコンピュータからの第２映像信号を選択する選択手段と、選択された前記第１映像信号または前記第２映像信号を画像信号に変換する処理手段と、前記画像信号に従い画像を表示する液晶表示部と、前記コンピュータからの出力電圧の有無を検出する第１制御部と、第２制御部とを備え、前記第１制御部は前記出力電圧が無い事を検出すると、前記選択手段と前記処理手段と前記液晶表示部と前記第２制御部とに対して、電源供給を停止させる。
【０００５】
請求項２の本発明では、前記処理手段は、前記第２映像信号に含まれる同期信号をカウントするカウント回路を有し、前記第１制御部は前記出力電圧が無い事を検出すると、前記カウント回路への電源供給を停止させる。
【０００６】
請求項３の本発明では、前記電源供給の停止後に、操作部に第１回目のキー操作が行われると、前記第２制御部はテレビ表示モードに設定し、その後、第２回目のキー操作が行われると、前記第２制御部は、前記第１制御部が前記コンピュータからの出力電圧の有無を検出する動作に戻す。
【０００７】
請求項４の本発明では、テレビ用の第１映像信号及びコンピュータからの第２映像信号を選択する選択手段と、選択された前記第１映像信号または前記第２映像信号を画像信号に変換する処理手段と、前記画像信号に従い画像を表示する液晶表示部と、前記コンピュータからの出力電圧の有無を検出する第１制御部と、第２制御部とを備え、前記第１制御部は前記出力電圧が有る事を検出すると、少なくとも、前記選択手段と前記処理手段と前記第２制御部とに対し、電源供給を行わせる。
【０００８】
請求項５の本発明では、前記処理手段は、前記第２映像信号に含まれる同期信号をカウントするカウント回路を設け、前記第１制御部は前記出力電圧が有る事を検出すると、前記カウント回路への電源供給を行わせる。
【０００９】
請求項６の本発明では、前記電源供給後に、前記第２制御部は、前記カウント回路が前記同期信号を所定回数カウントしたと判定すると、コンピュータ表示モードに設定する。
【００１０】
請求項７の本発明では、前記電源供給後に、前記第２制御部は、前記カウント回路が前記同期信号を所定回数カウントしていないと判定すると、前記第１制御部が前記コンピュータからの出力電圧の有無を検出する動作に戻す。
【発明の効果】
【００１１】
請求項１の本発明では、テレビ用の第１映像信号及びコンピュータからの第２映像信号を選択する選択手段と、選択された前記第１映像信号または前記第２映像信号を画像信号に変換する処理手段と、前記画像信号に従い画像を表示する液晶表示部と、前記コンピュータからの出力電圧の有無を検出する第１制御部と、第２制御部とを備え、前記第１制御部は前記出力電圧が無い事を検出すると、前記選択手段と前記処理手段と前記液晶表示部と前記第２制御部とに対して、電源供給を停止させる。この様に、第１制御部は、コンピュータが使用されているか否かにつき、コンピュータからの出力電圧の有無を検出するので、従来の様に、コンピュータからの同期信号を常時監視する必要がない。従って、この状態における電力消費量を少なくできる。
【００１２】
請求項２の本発明では、前記処理手段は、前記第２映像信号に含まれる同期信号をカウントするカウント回路を有し、前記第１制御部は前記出力電圧が無い事を検出すると、前記カウント回路への電源供給を停止させる。上記構成によって、カウント回路への電源供給を停止するので、テレビを見るためのスタンバイ状態において、待機電力を少なくできる。
【００１３】
請求項３の本発明では、前記電源供給の停止後に、操作部に第１回目のキー操作が行われると、前記第２制御部はテレビ表示モードに設定し、その後、第２回目のキー操作が行われると、前記第２制御部は、前記第１制御部が前記コンピュータからの出力電圧の有無を検出する動作に戻す。この様に、同一のキーを操作するだけで、テレビ表示モードと、コンピュータ表示モードを切り替える事ができるので、使い勝手が向上する。
【００１４】
請求項４の本発明では、テレビ用の第１映像信号及びコンピュータからの第２映像信号を選択する選択手段と、選択された前記第１映像信号または前記第２映像信号を画像信号に変換する処理手段と、前記画像信号に従い画像を表示する液晶表示部と、前記コンピュータからの出力電圧の有無を検出する第１制御部と、第２制御部とを備え、前記第１制御部は前記出力電圧が有る事を検出すると、少なくとも、前記選択手段と前記処理手段と前記第２制御部とに対し、電源供給を行わせる。この様に、コンピュータからの出力電圧が有る事を検出した場合、選択手段と、処理手段と、第２制御部等を通電させ、液晶表示部を通電しない。故に、この状態における電力消費量を少なくできる。
【００１５】
請求項５の本発明では、前記処理手段は、前記第２映像信号に含まれる同期信号をカウントするカウント回路を設け、前記第１制御部は前記出力電圧が有る事を検出すると、前記カウント回路への電源供給を行わせる。上記構成により、第１制御部がコンピュータからの出力電圧がある事を検出した場合のみに、カウント回路への電源を供給させる。その結果、上記出力電圧が無い時は、カウント回路への電源を停止させるので、待機電力を小さくできる。
【００１６】
請求項６の本発明では、前記電源供給後に、前記第２制御部は、前記カウント回路が前記同期信号を所定回数カウントしたと判定すると、コンピュータ表示モードに設定する。上記構成の様に、同期信号を所定回数だけカウントした事を判定できるので、コンピュータからの信号が出力されている事を正確に検出できる。
【００１７】
請求項７の本発明では、前記電源供給後に、前記第２制御部は、前記カウント回路が前記同期信号を所定回数カウントしていないと判定すると、前記第１制御部が前記コンピュータからの出力電圧の有無を検出する動作に戻す。上記構成の様に、同期信号を所定回数だけカウントしない事を判定するので、コンピュータからの信号が出力されていない事を正確に検出できる。
【発明を実施するための最良の形態】
【００１８】
以下に、図１のブロック図に従い、本発明を実施するための最良の形態に係る表示装置１を説明する。アンテナ２を介してチューナ３に入力されたテレビ信号は、チューナ３により選択され、音声信号と映像信号ＣＶＢＳに分けられる。音声信号４は、入力された音声信号を増幅し、検波し、スピーカ５へ出力する。スピーカ５は音声を出力する。
【００１９】
分離部は、入力された映像信号ＣＶＢＳ（コンポジットビデオ信号）を、輝度信号Ｙとカラー信号Ｃとに分離し、デコーダ７に対し、上記信号Ｙ，Ｃを出力する。デコーダ７は入力された上記信号Ｙ，Ｃをデコード（解読）して、第１映像信号８を出力する。第１映像信号８は例えば、複合同期信号ＣＳと、水平同期信号Ｈと、垂直同期信号Ｖと、色信号Ｒ，Ｇ，Ｂ等からなる。
【００２０】
入力部９は例えばコネクタ等からなり、ケーブル１０を介して、コンピュータ１１（例えば、パーソナルコンピュータ等からなる）の出力端子に接続されるものである。
【００２１】
コンピュータ１１は、ケーブル１０と入力部９を介して、選択手段１２に対し、第２映像信号１３を出力する。第２映像信号１３は例えば、水平同期信号ｈと、垂直同期信号ｖと、シリアル色信号ｓと、からなる。
【００２２】
選択手段１２は例えば、選択部１４と、選択部１５と、色選択部１６等からなる。選択部１４は、入力された水平同期信号Ｈ，ｈのどちらかを選択し、出力する。選択部１５は、垂直信号Ｖ，ｖのどちらかを選択し、出力する。色選択部１６は、入力された色Ｒ，Ｇ，Ｂと、シリアル色信号ｓのどちらかを選択し、出力する。
【００２３】
この様に、選択手段１２は、テレビ用の第１映像信号８およびコンピュータ１１からの第２映像信号１３を選択し、ＡＤ変換部１７に対し、選択した映像信号８又は１３を出力する。図１において、選択手段１２は、第１映像信号８を選択している。
【００２４】
ＡＤ変換部１７は、選択された第１映像信号８又は第２映像信号１３をデジタル信号に変換するものである。図１において、ＡＤ変換部１７は、選択された第１映像信号８をデジタル信号に変換している。
【００２５】
ＡＤ変換部１７は、垂直同期信号Ｖを出力タイミングに用い、選択器１８に対し、デジタル化された水平同期信号Ｈ１を出力する。また、ＡＤ変換部１７は処理部１９に対し、デジタル変換されたインターレース信号Ｉを出力する。
【００２６】
選択器１８は、入力された複合同期信号ＣＳと、デジタル化された水平同期信号Ｈ１とのどちらかを選択し、信号処理部２０に対し、選択された水平同期信号ＧＨを出力する。
【００２７】
処理部１９は例えば、画像処理用の集積回路素子（ＩＣ）等からなる。処理部１９は、入力されたインターレース信号Ｉをプログレシブ（順次）信号Ｐに変換し、信号処理部２０に対し、上記信号Ｐを出力する。
【００２８】
信号処理部２０は例えば、スケーラ用の集積回路素子（ＩＣ）等からなる。信号処理部２０は、液晶表示部２１の画面の大きさに応じて、入力されたプログレシブ信号Ｐを拡大又は縮小した画像信号Ｄを、液晶表示部２１に対して、出力するものである。
【００２９】
液晶表示部２１は例えば、液晶パネルと、走査用駆動回路と、信号用駆動回路（いずれも図示せず）等からなる。ＡＤ変換部１７と、選択器１８と、処理部１９と、信号処理部２０等により、処理手段２２は構成されている。上記説明の様に、処理部２２は、選択された第１映像信号８又は第２映像信号１３を、画像信号Ｄに変換する。この様にして、液晶表示部２１は、画像信号Ｄに従い、画像を表示する。
【００３０】
また、信号処理部２０はカウント回路（図示せず）を内蔵している。選択部１４により選択された水平同期信号ｈは、カウント回路に入力される。選択部１５により、選択された垂直同期信号ｖは、カウント回路に入力される。
【００３１】
この様に、信号処理部２０等からなる処理部２２は、コンピュータ１１からの第２映像信号１３に含まれる同期信号ｈおよびｖをカウントするカウント回路を有している。
【００３２】
スイッチ２３は例えばトランジスタ等からなり、入力端子は電源部２４に接続されている。出力端子は、分離部６と、デコーダ７と、選択手段１２と、処理手段２２と、第２制御部２６と、液晶表示部２１等の各電源端子に、接続されている。
【００３３】
スイッチ２３の制御端子は、第１制御部２５の端子に接続されている。第１制御部２５は例えば、マイクロコンピュータ等からなる。第１制御部２５の電源端子は電源部２４に接続されている。
【００３４】
第１制御部２５の端子は、第２制御部２６の端子に接続されている。第２制御部２６は例えばマイクロコンピュータ等からなる。第２制御部２６の端子は、分離部６と、デコーダ７と、選択手段１２と、処理手段２２などの各制御端子に、各々、別々に接続されている。
【００３５】
操作部２７は例えば、パワーキーと、各種キー（共に図示せず）等により構成され、第１制御部２５の端子に接続されている。
【００３６】
入力部９の１つの端子は、第１制御部２５に接続されている。入力部９の上記端子は、コンピュータ１１からの出力電圧が入力される。この様に、第１制御部２５は、コンピュータ１１からの出力電圧ｄが有る（例えば５ボルト）か、または無い（例えば、ゼロボルト）かを検出する。
【００３７】
主スイッチ２８の入力側は、商用電源（例えば、交流１００Ｖ）に接続され、出力側は電源部２４の入力側に接続されている。以上の部品により、この表示装置１は構成されている。
【００３８】
なお、図１に図示していないが、第１入力コネクタと分離器を別途、設けても良い。第１入力コネクタは分離器に接続され、分離器は分離部６に接続されている。
【００３９】
例えば、ＤＶＤプレーヤの出力信号ＣＶＢＳ１，Ｙ１，Ｃ１は、第１コネクタを介して分離器に入力される。ＣＶＢＳ１は複合ビデオ信号、Ｙ１は輝度信号、Ｃ１はカラー信号である。
【００４０】
分離器は分離部６に対し、信号ＣＶＢＳ１／Ｙ１とＣ１を出力する。分離部６はデコーダ７に対し、輝度信号Ｙ１とカラー信号Ｃ１を出力する。この様にして、操作部２７にて、「ＤＶＤプレーヤ再生キー」が押されると、表示装置１の液晶表示部２１において、ＤＶＤプレーヤの出力に従う画像も表示できる。
【００４１】
また、図１に示していないが、第２入力コネクタを設け、第２入力コネクタを色選択部１６に接続しても良い。外部機器から第２入力コネクタを介して、色選択部１６に対してハイビジョン画像信号Ｙ／Ｃｂ／Ｃｒが入力される。
【００４２】
この様にして、操作部２７にて「ハイビジョン再生キー」が押されると、液晶表示部２１において、上記外部機器の出力に従う、ハイビジョン画像も表示できる。
【００４３】
また、図１に示していないが、第３入力コネクタを設け、第３入力コネクタをＡＤ変換部１７の入力側に接続されても良い。コンピュータ１１ａ(図示せず)は、第３入力コネクタを介して、ＡＤ変換部１７に対して、デジタル画像信号ＤＶＩ−Ｄを出力する。この様にして、操作部２７にて「デジタルＰＣキー」が押され、コンピュータ１１ａからの出力が選択された場合、液晶表示部２１において、このコンピュータ１１ａの出力に従う、画像も表示できる。
【００４４】
次に、図１と図２に従い、この表示装置１の動作を説明する。図２は、表示装置１の主要な動作を示すフローチャートである。これらの図において、使用者は最初に、主スイッチ２８を「入」に設定する。その結果、電源部２４は第１制御部２５およびスイッチ２３に対し、電源を供給し、第１制御部２５による制御動作が開始する。
【００４５】
次に、第１制御部２５は、コンピュータ１１からの出力電圧ｄが有るか無いかを判定する（図２のＳ１を参照）。仮に、例えば、コンピュータ１１の運転スイッチが入っていなければ、出力電圧ｄはゼロボルトになる。その結果、第１制御部２５は、ステップＳ１の判定を否定する。
【００４６】
そして、第１制御部２５は、テレビ用スタンバイモードに設定する（Ｓ２参照）。即ち第１制御部２５はスイッチ２３に対して、オフの制御信号を出力する。その結果、スイッチ２３は開成される。そして、スイッチ２３に接続されたチューナ３と、音声回路４と、スピーカ５と、分離部６と、デコーダ７と、選択手段１２と、処理手段２２と、液晶表示部２１と、第２制御部２６等に対し、電源供給は停止される。
【００４７】
即ち、第１制御部２５は、コンピュータ１１からの出力電圧ｄが無い事を検出すると、第１制御部２５は、選択手段１２と、処理手段２２と、液晶表示部２１と、第２制御部２６に対し、電源供給を停止させる。また、この時、第１制御部２５は、処理手段２２を構成するカウント回路への電源供給を停止させる。
【００４８】
このテレビ用スタンバイモードにおいて、電源部２４と第１制御部２５等のみが通電され、電力消費量は１Ｗ以下となる。この時、第１制御部２５は制御動作を継続する
次に、第１制御部２５は、操作部２７に設けられたキー（パワーキーだが、図示せず）が操作されたか否かを判定する（Ｓ３参照）。仮に、使用者がパワーキーを操作していなければ、第１制御部２５はＳ３の判定を否定する。その結果、ステップＳ１〜Ｓ３の動作を繰り返す。
【００４９】
仮に、使用者がテレビを見たいために、パワーキーを操作すれば、第１制御部２５はＳ３の判定を肯定する。
【００５０】
次に、第１制御部２５は、テレビ表示モードに設定する（Ｓ４参照）。即ち、第１制御部２５はスイッチ２３に対して、オンの制御信号を出力する。その結果、スイッチ２３は閉成される。その結果、チューナ３と、音声回路４と、スピーカ５と、分離部６と、デコーダ７と、選択手段１２と、処理手段２２と、液晶表示部２１と、第２制御部２６等に対し、電源が供給される。
【００５１】
その結果、チューナ３は選択された音声信号を、音声回路４に対し、出力する。音声回路４は、上記音声信号を増幅し、検波し、スピーカ５へ出力する。
【００５２】
分離部６は、チューナ３から入力された映像信号ＣＶＢＳを、輝度信号Ｙと、カラー信号Ｃに分離し、デコーダ７に対し、信号Ｙ，Ｃを出力する。
【００５３】
デコーダ７は、上記信号Ｙ，Ｃをデコードし、第１映像信号８を、選択手段１２に対し、出力する。
【００５４】
第２制御部２６は選択手段１２に対して、第１制御信号を出力する。その結果、選択手段１２は第１映像信号８を選択し、処理手段２２に対し、第１映像信号８を出力する。
【００５５】
処理手段２２は、入力された第１映像信号８を画像信号Ｄに変換し、液晶表示部２１に対して出力する。液晶表示部２１は、画像信号Ｄに従い、画像を表示する。この様にして、テレビ表示モードが実行される。
【００５６】
次に、第１制御部２５は、操作部２７に設けられたパワーキーが操作されたか否かを判定する（Ｓ５参照）。仮に、使用者がパワーキーを操作していなければ、第１制御部２５はＳ５の判定を否定する。その結果、ステップＳ４，Ｓ５の動作を繰り返す。
【００５７】
また、仮に、使用者がテレビを見る事を終了するために、パワーキーを操作（第２回目のキー操作の事）したものとする。この時、第１制御部２５は、ステップＳ５の判定を肯定する。その後、第１制御部２５は、ステップＳ１の直前の動作に戻す。
【００５８】
即ち、処理手段２２等への電源供給の停止後（Ｓ２参照）に操作部２７に第１回目のキー操作が行われると（Ｓ３参照）、第２制御部２６はテレビ表示モードに設定する（Ｓ４参照）。
【００５９】
その後、第２回目の操作が行われると（Ｓ５参照）、第２制御部２６は、第１制御部２５がコンピュータ１１からの出力電圧ｄの有無を検出する動作（ステップＳ１の事）に戻す。
【００６０】
次に、もしも、使用者がコンピュー１を使用したいために、コンピュータ１１の運転スイッチが入っておれば、出力電圧ｄは設定値（例えば、直流５ボルト）となる。その結果第１制御部２５が、ステップＳ１の判定を肯定する。
【００６１】
そして、第１制御部２５は、コンピュータ用スタンバイモードに設定する（Ｓ６参照）。即ち、第１制御部２５はスイッチ２３に対して、オンの制御信号を出力する。その結果、スイッチ２３は閉成される。
【００６２】
そして、少なくとも、選択手段１２と、処理手段２２と、第２制御部２６等に対し、電源が供給される。
【００６３】
即ち、第１制御部２５は、コンピュータ１１からの出力電圧ｄが有る事を検出すると、第１制御部２５は、少なくとも、選択手段１２と、処理手段２２と、第２制御部２６とに対し、電源供を行わせる。また、この時、第１制御部２５は、処理手段２２を構成するカウント回路への電源供給を行わせる。
【００６４】
このコンピュータ用スタンバイモードにおいて、電源部２４と、第１制御部２５と、選択手段１２と、処理手段２２と、第２制御部２６等のみが通電され、電力消費量は５Ｗ以下となる。
【００６５】
次に、第１制御部２５は、パワーキーが操作されたか否かを判定する（Ｓ７参照）。仮に使用者がテレビを見たいため、パワーキーを操作したとすれば、第１制御部２５はステップＳ７の判定を肯定し、ステップＳ４の直前へ進む。
【００６６】
仮に、使用者がコンピュータ１１から出力される画像を見たいために、パワーキーを操作しなければ、第１制御部２５はステップＳ７の判定を否定する。
【００６７】
次に、第２制御部２６は、コンピュータ１１からの信号が有るか否かを判定する（Ｓ８参照）。仮に、信号処理部２０内のカウント回路が、コンピュータ１１からの水平同期信号ｈおよび垂直同期信号ｖを、所定回数だけ（例えば、連続して３回）カウントしなければ、第２制御部２６は、ステップＳ８の判定を否定し、ステップＳ１の直前に戻る。
【００６８】
即ち、処理手段２２等への電源供給（Ｓ６参照）後に、第２制御部２６は、カウント回路が同期信号ｈ，ｖを所定回数カウントしていないと判定すると（Ｓ８参照）、第２制御部２６は、第１制御部２５がコンピュータ１１からの出力電圧ｄの有無を検出する動作（Ｓ１参照）に戻す。
【００６９】
また、仮に、信号処理部２０内のカウント回路が、コンピュータ１１からの水平同期信号ｈおよび垂直同期信号ｖを、所定回数だけ（例えば、連続して３回）カウントすれば、第２制御部２６は、ステップＳ８の判定を肯定する。次に、第２制御部２６は、コンピュータ表示モードに設定する（Ｓ９参照）。
【００７０】
即ち、処理手段２２等への電源供給（Ｓ６参照）後に、第２制御部２６は、カウント回路が同期信号ｈ，ｖを所定回数カウントしたと判定すると（Ｓ８参照）、第２制御部２６は、コンピュータ表示モードに設定する（Ｓ９参照）。
【００７１】
このコンピュータ表示モードにおいて、少なくとも、選択手段１２と、処理手段２２と、第２制御部２６と、液晶表示部２１等に対し、電源が供給される。
【００７２】
この時、第２制御部２６は選択手段１２に対して、第２制御信号を出力する。その結果選択手段１２は第２映像信号１３を選択し、処理手段２２に対し、第２映像信号１３を出力する。
【００７３】
処理手段２２は、入力された第２映像信号１３を画像信号Ｄ１に変換し、液晶表示部２１に対して出力する。液晶表示部２１は、画像信号Ｄ１に従い、画像を表示する。この様にして、コンピュータ表示モードが実行される（Ｓ９参照）。
【００７４】
次に、第１制御部２５は、パワーキーが操作されたか否かを判定する（Ｓ１０参照）。仮に、使用者がコンピュータ１１を接続して使用したいならば、使用者はパワーキーを操作しない。その結果、第１制御部２５はステップＳ１０の判定を否定し、コンピュータ１１からの信号が有るか否かを判定する（Ｓ１１参照）。仮に、上記信号があれば、第２制御部２６は、ステップＳ９〜Ｓ１１の動作を繰り返す。
【００７５】
仮に、上記信号が無ければ、第２制御部２６は、ステップＳ１１の判定を否定し、ステップＳ１の直前へ戻る。また、使用者がパワーキーを操作した場合、第１制御部２５はステップＳ１０の判定を肯定し、ステップＳ１の直前へ戻る。
【図面の簡単な説明】
【００７６】
【図１】本発明を実施するための最良の形態に係る表示装置１のブロック図である。
【図２】上記表示装置１における、主要動作を示すフローチャートである。
【符号の説明】
【００７７】
８  第１映像信号
１２  選択手段
１３  第２映像信号
２１  液晶表示部
２２  処理手段
２５  第１制御部
２６  第２制御部
【図１】
2005134721.tif 000003
【図２】
2005134721.tif 000004